(57)【要約】【課題】アクセサリ装置を必要とする製品の操作性、利便性を高めることができるようにする。【解決手段】装着可能な複数のアクセサリ装置を用いて情報信号を処理する際に、周囲に存在する前記複数のアクセサリ装置と非接触な状態で通信することにより前記アクセサリ装置に関する属性情報を受信する受信手段と、前記受信手段により受信した属性情報に基づき、前記アクセサリ装置に関する情報を表示装置に表示する制御手段とを設け、装置の周辺にある機器、及びその機器の付帯情報が本体表示で容易に確認できるようにする。【選択図】        図１
2004215088.tif 000002
【特許請求の範囲】
【請求項１】
装着可能な複数のアクセサリ装置を用いて情報信号を処理する信号処理装置であって、
周囲に存在する前記複数のアクセサリ装置と非接触な状態で通信することにより前記アクセサリ装置に関する属性情報を受信する受信手段と、
前記受信手段により受信した属性情報に基づき、前記アクセサリ装置に関する情報を表示装置に表示する制御手段とを備えることを特徴とする信号処理装置。
【発明の詳細な説明】
【０００１】
【発明の属する技術分野】
本発明は信号処理装置に関し、特に、無線ＩＤタグを活用した情報処理装置において、前記情報処理装置等の動作に関連した、周辺装置の諸情報の処理及び表示を行うために用いて好適なものである。
【０００２】
【従来の技術】
従来、無線ＩＤタグの活用方法として、例えば、以下のように提案がなされている。すなわち、「追いかける」活用として、無線タグを取り付けたモノやヒトの出発地点、経由地点など、部地理的な移動の様子を追跡する例が提案されている。この応用例としては、製造業の流通システムにおける物品の追跡がある。
【０００３】
また、「守る」活用として、無線タグをカギとして利用する例がある。この応用例としては、自動車のキー、ビルの入退場管理、家庭のカギ等がある。
【０００４】
さらに、「探す」活用としては、無線タグを取り付けた物品のありかを見つけたり、あるいは、道路や該当など、特定の場所に無線タグや、リーダーを取り付けておき、そこから周辺地域の情報を読み取ったりする例がある。この応用例としては、歩行者ＩＴＳ（Ｉｎｔｅｌｌｉｇｅｎｔ  Ｔｒａｎｓｐｏｒｔ  Ｓｙｓｔｅｍｓ：高度道路交通システム）、カルテやファイルの管理、近距離の測位などがある。
【０００５】
「楽しむ」活用としては、無線タグに書き込んだ情報やＩＤ番号を娯楽用途に応用し、付加サービスを実現する例がある。この応用例としては、業務用ゲーム機、イベントや娯楽施設のチケット、会員カードなどが知られている。
【０００６】
「統べる」活用としては、無線タグに書き込んだＩＤ情報による物品や個人情報の管理がある。この応用例として、レンタル品やリース品の管理、家電製品のリサイクル、タイヤの管理、パスポートや運転免許証など個人ＩＤなどである。近年、一部提案の実用化が始まっている。さらに、無線ＩＤタグのコストダウンと、性能向上が進むにつれて、さらなる展開が期待される。
【０００７】
一方、ビデオカメラ、デジタルビデオカメラ等を例としての電池、記録メディア、ケーブルなどのアクセサリを必要とする製品の使用方法は、使用者（撮影者）自身が、電池、記録メディア、アクセサリ等を使用（撮影）準備する作業が必要である。そして、使用中（撮影中）に電池、記録メディアの交換、使用条件（撮影条件）の変更におけるアクセサリの交換などの煩雑な作業を行う必要がある。
【０００８】
【発明が解決しようとする課題】
しかしながら、前記無線ＩＤタグの活用方法に関しては、現状は、大きなシステムの活用方法の提案であり、今後、組み込み装置等の小規模なシステムでの有効活用が求められる。
【０００９】
また、ビデオカメラ、デジタルビデオカメラ等を例としての電池、記録メディア、ケーブルなどのアクセサリを必要とする製品の使用方法は、使用者（撮影者）自身が、電池、記録メディア、アクセサリ等を使用（撮影）準備する作業は、きわめて煩雑である。
【００１０】
特に、外出しての使用（撮影）準備に不足があった場合、大きな問題となる場合があった。例えば、使用中（撮影中）に電池、記録メディアの交換、使用条件（撮影条件）の変更におけるアクセサリの交換なども、煩雑である上に、交換に必要な電池、記録メディア等の検索に大きく手間取ると、連続使用（撮影）が不可能になってしまう問題があった。
【００１１】
本発明は前述の問題点にかんがみ、アクセサリ装置を必要とする製品の操作性、利便性を高めることができるようにすることを目的としている。
【００１２】
【課題を解決するための手段】
本発明の信号処理装置は、装着可能な複数のアクセサリ装置を用いて情報信号を処理する信号処理装置であって、周囲に存在する前記複数のアクセサリ装置と非接触な状態で通信することにより前記アクセサリ装置に関する属性情報を受信する受信手段と、前記受信手段により受信した属性情報に基づき、前記アクセサリ装置に関する情報を表示装置に表示する制御手段とを備えることを特徴としている。
【００１３】
【発明の実施の形態】
次に、添付図面を参照しながら本発明の信号処理装置の実施の形態について説明する。
図１は、本実施の形態を説明する装置のブロック図であり、図１において、２００は撮像装置のブロック全体、２０１は映像を取り込むレンズ、２０２は映像を電気信号に変換する固体センサー、２０３はデジタルデータに変換するＡ／Ｄコンバータ、２０４はレンズ２０１を駆動するモータ、２０９は音声を取り込むマイク、２１０は音声を増幅するマイクアンプ、２１１は音声をデジタルデータに変換するＡ／Ｄコンバータである。
【００１４】
また、２１２は撮像装置２００を操作する操作キー、２１３は映像を表示形式にする表示ドライバ、２１４は映像を表示するためのＬＣＤ、ＥＶＦ等の表示器、２１５は音声を出力するためのスピーカドライバ、２１６はスピーカ、２１７は諸情報を入出力する入出力端子、２２３は記録再生制御回路、２２４は各種のセンサー、１０１は記録媒体、２２５は記録媒体１０１を収納するソケット、２３０はシステムを制御するＣＰＵ、２２２は前記ＣＰＵとシステムのためのメモリ、２２１は撮像装置のための電源装置、２３５は無線タグ送受信部である。
【００１５】
図２は、本実施の形態において無線タグとＩＤ通信を行うための構成を示すブロック図であり、２３５は図１で示した無線タグ送受信部２３５と同等の機能を持つ無線タグ送受信部、７０２はインターフェース、７０３は制御回路、７０４はアンテナである。また、７１０は無線タグ、７１１は電源、７１２はメモリ、７１３は制御回路、７１４はアンテナ、７１５はインターフェースである。
【００１６】
次に、図２のブロック図において、無線ＩＤ通信操作に関して説明する。
無線タグ送信部２３５と無線タグ７１０とが情報交換を行う場合、本体装置とのインターフェース７０２から制御命令、または、情報を受け取り、制御回路７０３において、プロトコル制御等を行う。そして、アンテナ７０４を介して、無線タグ７１０と無線通信を行う。また、アンテナ７０４より無線タグ７１０で使用する電力の送信も行う。
【００１７】
前記無線タグ７１０では、アンテナ７１４より受けた電力を電源７１１に供給し、必要に応じて電源７１１でレギュレーションし、各回路ブロックに電力を供給する。また、アンテナ７０４を介し、制御回路７１３において、無線タグ送受信部と通信を行い、データの送受を行う。
【００１８】
７１２はメモリであり、読み出しのみが可能なＲＯＭタイプと、読み込み書き込み可能なＲＡＭタイプのものとが必要に応じて搭載される。メモリ７１２から読み出されたデータを無線タグ送信部２３５に送信、無線タグ送信部２３５から受信したデータを書き込む。また、インターフェース７１２を介して、制御回路７１３の制御においてメモリ７１３にデータを読み書きすることも可能である。
【００１９】
ここで、制御回路７０３の制御により、アンテナ７０４の送信電力、または、受信感度を制御することにより、無線タグ送受信部２３５と無線タグ７１０との実距離を測定することが可能となっている。
【００２０】
図３、図４はメモリ７１２に書き込まれるデータの例である。図３は項目例であり、図４はデータの例である。図３及び図４において、“Ｌｅｎｇｔｈ”は格納されているデータ長、データ例“２９”ｂｙｔｅｓである。
【００２１】
“ＩＤ”は、無線タグの認識番号であり、データ例“３２Ａ３ｃ６５４ｄ２９８ｃ１１ｚ”である。
“名前”は、無線タグのつけられた機器型名であり、データ例“ＢＰ−１００”である。
【００２２】
“メーカー名”は、メーカー名であり、データ例“Ｃａｎｏｎ”である。
“カテゴリ”は、無線タグの付けられた機器の属するカテゴリであり、データ例“ＤＶＣ”は、Ｄｉｇｉｔａｌ    Ｖｉｄｅｏ  Ｃａｍｃｏｄｅｒを意味している。“サブカテゴリ”は前記カテゴリのサブ属性、データ例“電池”。“属性”は無線タグに関する付加データであり、データ例“ＲＡＭ”、内蔵したメモリがＲＡＭタイプのものであることを示している。
【００２３】
このエリアには、無線タグ自体の型名、メーカー名、製造年月日、製造番号など、無線タグに関する付加データを任意に記載する。“登録日時”は、メモリ７１２に初回のデータが記録された日時であり、データ例は“２０００／４／４  １８：１５＋９”である。
【００２４】
“更新日時”はデータが更新された日時であり、データ例は“２００１／６／５  １０：２５＋９”である。“ユーザーエリア”は無線タグをつけられた機器の固有データを記載するエリアとして、前記カテゴリ、サブカテゴリ、さらにメーカー固有に定義がなされる。
【００２５】
データ例をして、“１：２２Ｂ５５４５４ＦＸ２５８４ｅ”は、無線タグが対応する、本体側装置の認識番号であり、本実施の形態では、図１中の撮像装置２００の認識番号である。この認識番号を使用することで、本体装置と周辺装置の関連付けを行うことができる。認識番号の登録方法は、登録したい周辺装置を本体装置に接触させることや、ケーブル接続し、本体装置の登録モードスイッチなでの作動にて登録する方法が考えられる。
【００２６】
“２：８０％”は、この無線タグが装着されている電池の使用率である。“３：２００１／６／５  １０：２５＋９”は、電池が充電された日時である。“４：３０”は、電池が充電された回数である。“５：ＣＨ−５０００”は充電した充電器の型名である。これ以下任意の、無線タグをつけられた機器の固有データ付加データとメーカー固有のデータが格納される。
【００２７】
図５は、無線タグを備えた周辺装置の配置の一例を表した図であり、中心に無線タグＩＤ送受信部２３５を備えた撮像装置２００がある。撮像装置２００を中心に、周辺には無線タグを備えたアクセサリ、周辺装置が存在している。また、図中Ａ、Ｂ、Ｃは、撮像装置２００を中心としての通信エリアを表している。
【００２８】
第１のエリアＡには、撮像装置２００に装着された第１の電池５０１、第３の電池５０２、第１の記録テープ５０７、第２の記録メディアカード５０８、レンズフィルタ５０６、リモコン５０５、交換レンズ５０４、周辺装置５０３が存在する。
【００２９】
第１のエリアＡから第２のエリアＢには、第２の電池５１０、接続ケーブル５１１、第２の記録テープ５１２、第１の記録メディアカード５１３、ストロボ５１４が存在する。第２のエリアＢから第３のエリアＣには、第３の記録カード５２０が存在する状態を表している。エリア設定操作は、撮像装置２００のズームレバーを用い、テレ側で範囲を狭め、ワイド側では範囲を広くするように動作する。
【００３０】
図６、図７、図８は、図５の配置状態で、撮像装置２００の電源を入れた場合の表示器２１４の表示例である。図６、図７、図８のＡ表示は、周辺装置、アクセサリの存在するエリアを示す目盛りであり、本実施の形態では、図６は０ｃｍ−約４０ｃｍの範囲、図７は約４０ｃｍ―１ｍの範囲、図８は１ｍ−１０ｍの範囲を示している。
【００３１】
図６は、０ｃｍから４０ｃｍの範囲に存在する周辺装置、アクセサリのリストを“リスト１”（全３ページのうち１ページ目）を表示している。図６において、“Ｂａｔｔ１”（電池１）は“装着”されていて、電池消費率“３０％”を示し、残り記録できる時間が“２０ｍｉｎ”であることを示している。
【００３２】
“Ｂａｔｔ３”（電池３）は“＜０．４”であるので、４０ｃｍ以内に存在していることを示し、電池消費率が“６０％”であり、残り記録できる時間“４０ｍｉｎ”であることを示している。“Ｔａｐｅ１”（テープ１）は“＜０．４”であるので、４０ｃｍ以内に存在していることを示し、記録量“５０％”であり、残り記録できる時間が“６０ｍｉｎ”であることを示している。
【００３３】
“Ｃａｒｄ２”（記録メディアカード２）は“＜０．４”であるので、４０ｃｍ以内に存在していることを示し、記録量“４０％”であり、残り記録できる枚数“２０枚”であることを示している。“リモコン”（付属リモコン）は、“＜０．４”であるので、４０ｃｍ以内に存在していることを示し、型名は“ＲＳ−３５４”であることを示している。
【００３４】
“レンズ”（交換レンズ）は、“＜０．４”であるので、４０ｃｍ以内に存在していることを示し、型名は“ＶＬ−３８４４”であることを示している。“フィルタ”（レンズフィルタ）は、“＜０．４”であるので、４０ｃｍ以内に存在していることを示し、型名は“ＶＦ−１０４４”であることを示している。“ルータ”（ルータ）は、“＜０．４”であるので、４０ｃｍ以内に存在していることを示し、型名は“ＡＲ−４８６６”であることを示している。
【００３５】
図７は、４０ｃｍから１００ｃｍの範囲内に存在する周辺装置、アクセサリのリストを“リスト２”（全３ページのうち２ページ目）を表示している。
図７において、“Ｂａｔｔ２”は、電池２が“０．４−１”であるので、４０ｃｍから１００ｃｍ以内に存在していることを示し、電池消費率は“３０％”であり、残り記録できる時間“２０ｍｉｎ”であることを示している。
【００３６】
“Ｔａｐｅ１”は、テープ１が“０．４−１”であり、４０ｃｍから１００ｃｍ以内に存在していることを示し、記録量が“５０％”であり、残り記録できる時間“６０ｍｉｎ”であることを示している。
【００３７】
“Ｃａｒｄ３”（記録メディアカード３）は、“０．４−１”であるので、４０ｃｍから１００ｃｍ以内に存在していることを示し、記録量が“４０％”であり、残り記録できる枚数が“１０枚”であることを示している。“ケーブル”（ＡＶケーブル）は、“０．４―１”であるので、４０ｃｍから１００ｃｍ以内に存在していることを示し、型名は“Ｓ−ＡＶ”であることを示している。“ストロボ”（ストロボ）は、“０．４―１”であるので、４０ｃｍから１００ｃｍ以内に存在していることを示し、型名は“ＳＴ−２１４０”であることを示している。
【００３８】
図８は、約１ｍから１０ｍの範囲に存在する周辺装置、アクセサリのリストを“リスト３”（全３ページのうち３ページ目）を表示し、“Ｃａｒｄ４”（記録メディアカード４）は“１−１０”であり、１ｍから１０ｍ以内に存在していることを示し、記録量が“８０％”であり、残り記録できる枚数“１０枚”であることを示している。このように、周辺機器の情報、その付帯情報、存在位置などを本体表示で確認できる。
また、ユーザは、操作キーを操作することで、これら図６、図７、図８に示した３つの表示を任意に切り替えることができる。
【００３９】
また、図９は、無線タグを備えた周辺装置の他の配置を表した図であり、中心に無線タグＩＤ送受信部２３５を備えた撮像装置２００がある。撮像装置２００を中心に、周辺には無線タグを備えたアクセサリ、周辺装置が存在している。また、図中Ｄは、撮像装置２００を中心としての通信エリアを表している。前記エリアＤには、撮像装置２００に装着された電池６０１、電池６０２、電池６０３、記録テープ６０４、記録テープ６０５、記録メディアカード６０６、記録メディアカード６０７が存在する状態を表している。
【００４０】
図１０は、図９の配置状態で、撮像装置２００の電源を入れた場合の表示器２１４の表示例を示す図である。図１０において、“電池”は撮像装置２００で使用可能な電池であり、１つ以上は“装着”されていることを示し、周辺に存在する電池の総残量（使用可能時間）は“１４０分”であり、電池の総個数は“３”個であることを示している。
【００４１】
また、“テープ”は撮像装置２００で使用可能な記録テープであり、“未装着”であることを示し、周辺に存在するテープの総残量（使用可能時間）は“８４分”であり、テープの総本数は“２”個であることを示している。
【００４２】
また、“カード”は撮像装置２００で使用可能な記録メディアカードであり、“未装着”であることを示し、周辺に存在する記録メディアカードの総残量（記録可能枚数）は“３２枚”であり、記録メディアカードの総枚数は“２”枚であることを示している。
【００４３】
前記“電池”、“テープ”、“カード”の個々の情報は、操作キーあるいは、タッチパネルの操作等により、図１１、図１２、図１３のように表示される。それぞれで“１”、“２”は番号。“装着”、“未装着”は装着されているか否かを示している。そして、“ＢＰ−２００”、“ＴＰ−２００”、“ＣＤ−１０”は型名、“１０％”、“９０％”・・・は消費率。“１０ｍｉｎ”、“１２枚”・・・は残量及び記録可能時間、枚数を表示する。
【００４４】
このように、撮像装置本体２００の周辺に存在する複数の電池、記録媒体等の消耗品情報、その存在位置を一括して本体で管理し、本体表示で確認することができる。
【００４５】
また、図１４は、本体動作に連動し推奨周辺装置を選択、表示した表示例であり、Ａ表示は、周辺装置、アクセサリの存在するエリアを示す目盛りである。“夜景モード”は夜景モードであることを示している。前記夜景モードとは、夜間、夕暮れなど輝度レベルが低い背景で、電灯等、局部的に光源があるようなシーンを撮影するためのモードである。
【００４６】
また、“電池”、“テープ”、“カード”の表示は、前記図１０で説明した項目と同じものを表示する。この中で、“テープ”欄のように下地に色を付けて表示している項目は、テープ残量が少ないことを操作者に警告をしている。そして、“推奨“として本体の操作モードにおいて推奨する付属品リストを表示する。
【００４７】
前記推奨付属品として“ストロボ”は“未装着”であり、“ＳＴ−２１４０”は推奨の型名を示し、“０．５−１”の表示は、５０ｃｍから１００ｃｍの範囲内に存在していることを示している。
【００４８】
本体動作モードとして、前記“夜景モード”、スポーツモード、サーフ＆スノーモード等の撮影設定モード。記録、再生、停止、早送り、巻き戻し等の動作モードがある。
【００４９】
例えば、停止時のみ無線検索動作を行い、推奨リスト表示を行う等である。特定の操作者に関連して動作モードとして、例えば、父親が撮影者と判定した場合、父親専用の記録メディアカードを推奨表示する等である。日時に関連した動作モードとしては、例えば、何かの記念日では、以前の結婚記念の記録メディアカード、結婚式テンプレートの記録メディアカードを推奨リスト表示する等である。
【００５０】
場所、地域、温湿度等の周辺環境に関連した動作モードとしては、例えば、特定の地域が確認されされた場合、その地域のテンプレート記録メディアカードを推奨リスト表示する等。推奨する機器リストは、撮像装置本体に記憶されているものであったり、操作者が任意にカスタマイズしたり、外部装置から推奨リストを参照することも可能である。
【００５１】
このように、本体動作に関連しての選択表示、関連した周辺装置を推奨し、かつ、その付帯情報、存在位置を本体表示で操作者に情報提供することができる。
また、図１５の電池残量が少なくなってきた場合の表示例であり、Ｂ表示は電池残量を示し、撮像装置２００の電池残量が所定以下になった場合、電池残量警告を行い、周辺の使用可能な電池をリスト表示している状態を表している。
【００５２】
この例では、“Ｂａｔｔ２”（電池２）が“＜０．１”１０ｃｍ以内の範囲に存在して、”消費率“が３０％であり、“、使用可能時間”残り４０ｍｉｎ“である。また、“Ｂａｔｔ３”（電池３）が“０．５−１”であり、５０ｃｍから１００ｃｍ以内の範囲に存在して、”消費率“６０％“であり、使用可能時間”残り２０ｍｉｎ“を表示している。このように、電池等リソースが不足してきた場合、交換用のリソースの情報、存在位置が本体表示で確認することができる。
【００５３】
図１６は、本実施の形態の連続記録の手順を説明するフローチャートであり、ステップＳ１０１にて、撮像装置２００の電源が入った場合、ステップＳ１０２で各ブロックの初期化、初期設定を行い、操作キー２１２から設定されているスイッチの読み込みを行う。次に、ステップＳ１０３にて操作キーの設定を判断して、周辺装置の無線検索を行うか否かを判定する。この判定の結果、操作キーの設定次第（無線検索オフ等）では、無線検索を行わないで、ステップＳ１１１の定常動作に遷移する。
【００５４】
一方、ステップＳ１０３の判定の結果、無線検索を行う場合には、ステップＳ１０４に進んで周辺に存在する周辺機器、付属品の無線検索を行う。次に、ステップＳ１０５にて操作キーの設定に応じて動作モードであるか、表示モードであるかを判定し、この判定結果に応じてステップＳ１０６からステップＳ１０９に分岐する。
【００５５】
ステップＳ１０６の通常処理では、無線検索で収集した周辺に存在する周辺機器、付属品、またはそれらの付帯情報を表示ドライバ２１３に送信し、その後、ステップＳ１１０で表示する。ステップＳ１０７の推奨検索では、撮像装置２００の動作モード、動作条件、あるいは操作者の登録した検索項目に従い、周辺に存在する周辺機器、付属品、またそれらの付帯情報を表示ドライバ２１３に送信し、その後、ステップＳ１１０で表示する。
【００５６】
ステップＳ１０８のエリア検索では、操作者が設定した検索エリアの範囲の周辺に存在する周辺機器、付属品、またそれらの付帯情報を表示ドライバ２１３に送信し、その後、ステップＳ１１０で表示する。
【００５７】
ステップＳ１０９の条件検索では、操作者が要求した条件項目（操作キーなどから入力した）を元に周辺に存在する周辺機器、付属品、またそれらの付帯情報を表示ドライバ２１３に送信し、その後、ステップＳ１１０で表示する。
【００５８】
操作者が要求した条件項目は、操作者毎等のようにグループとして、複数を本体内部メモリに登録リストとして、前記登録リストをメニューからの選択することも考えられる。また、登録リストは、記録メディアカードに保存することや、外部装置に送信することも可能である。外部記録機器で作成された登録リストを、記録メディア経由で取り込むことや、本体に無線経由で受信することも考えられる。
【００５９】
前記ステップＳ１０６からステップＳ１０９のいずれの場合も、電池、記録テープ、記録メディアなど同等の種類の付属品、周辺機器の情報を、集計して表示器に表示するモードを備えてもよい。ステップＳ１１０で表示して、場合によって一定時間後に表示をオフ、あるいは必要情報、代表情報をアイコン化して、ステップＳ１１１にて定常動作を行う。次に、ステップＳ１１２にて撮像装置２００のリソース（電池、記録媒体、他消耗品等）をチェックする。
【００６０】
ここで、リソースが不足と判断した場合、ステップＳ１１３に遷移して、リソース不足の警告表示を行い、無線検索を開始し、リソース不足と同じ種類の付属品、周辺機器と付帯情報を抽出して、表示器に出力する。また、ステップＳ１１２の判定の結果、リソース不足が無ければ、ステップＳ１１４に進み、操作者の無線検索要求があるか否かを判定する。
【００６１】
この判定の結果、要求があればステップＳ１０４に戻り前記無線検索動作を行う。また、無線検索要求は、一定時間間隔の自動的に発行することも可能である。一方、ステップＳ１１４の判定の結果、無線検索要求が無ければ、ステップＳ１１５に進んで本体動作終了か否かを判断して、終了ならばステップＳ１５０で終了し、そうでなければステップＳ１１１に戻って定常動作に復帰する。
【００６２】
以上の動作を行うことによって、組み込み装置等の小規模なシステムで無線ＩＤタグの有効活用を実現することができる効果がある。また、装置の周辺にある機器、その付帯情報が本体表示で容易に確認できる効果がある。また、多数ある周辺機器の状況が一括して把握できる効果がある。また、装置特有の動作モードに従い、周辺機器の情報を的確に提供できる効果がある。また、装置特有の動作モードに従い、的確な周辺機器の情報が提供できる効果がある。また、資源不足時に、資源交換がスムーズに行える機能を提供できる効果がある。
【００６３】
また、周辺機器の存在位置が本体表示で容易に確認できることから、利便性の高い新機能を提供できる効果がある。たとえば、使用者（撮影者）自身が、電池、記録メディア、アクセサリ等を使用（撮影）準備する場面や、電池、記録メディア、アクセサリを交換する場面において、使用者の作業補助、忘れ物防止、スムーズな消耗品交換等で、非常に有効な機能を提供できる効果がある。特に、民生用ビデオカメラ等では、従来になかった、高付加価値のある機能を提供できる効果がある。
【００６４】
また、本実施の形態は撮像装置の動作を説明しているが、プリンター、複写機など、消耗品を付属周辺装置に備えるあらゆる装置にも同様な効果が期待できる。
【００６５】
（本発明の他の実施の形態）
本発明は複数の機器から構成されるシステムに適用しても１つの機器からなる装置に適用しても良い。
【００６６】
また、前述した実施の形態の機能を実現するように各種のデバイスを動作させるように、前記各種デバイスと接続された装置あるいはシステム内のコンピュータに対し、記録媒体から、またはインターネット等の伝送媒体を介して前記実施の形態の機能を実現するためのソフトウェアのプログラムコードを供給し、そのシステムあるいは装置のコンピュータ（ＣＰＵあるいはＭＰＵ）に格納されたプログラムに従って前記各種デバイスを動作させることによって実施したものも、本発明の範疇に含まれる。
【００６７】
また、この場合、前記ソフトウェアのプログラムコード自体が前述した実施の形態の機能を実現することになり、そのプログラムコード自体、及びそのプログラムコードをコンピュータに供給するための手段、例えばかかるプログラムコードを格納した記録媒体は本発明を構成する。かかるプログラムコードを記憶する記録媒体としては、例えばフレキシブルディスク、ハードディスク、光ディスク、光磁気ディスク、ＣＤ−ＲＯＭ、磁気テープ、不揮発性のメモリカード、ＲＯＭ等を用いることができる。
【００６８】
また、コンピュータが供給されたプログラムコードを実行することにより、前述の実施の形態で説明した機能が実現されるだけでなく、そのプログラムコードがコンピュータにおいて稼働しているＯＳ（オペレーティングシステム）あるいは他のアプリケーションソフト等の共同して前述の実施の形態で示した機能が実現される場合にもかかるプログラムコードは本発明の実施の形態に含まれることは言うまでもない。
【００６９】
さらに、供給されたプログラムコードがコンピュータの機能拡張ボードやコンピュータに接続された機能拡張ユニットに備わるメモリに格納された後、そのプログラムコードの指示に基づいてその機能拡張ボードや機能拡張ユニットに備わるＣＰＵ等が実際の処理の一部または全部を行い、その処理によって前述した実施の形態の機能が実現される場合にも本発明に含まれる。
【００７０】
本発明の実施態様を以下に列挙する。
〔実施態様１〕装着可能な複数のアクセサリ装置を用いて情報信号を処理する信号処理装置であって、
周囲に存在する前記複数のアクセサリ装置と非接触な状態で通信することにより前記アクセサリ装置に関する属性情報を受信する受信手段と、
前記受信手段により受信した属性情報に基づき、前記アクセサリ装置に関する情報を表示装置に表示する制御手段とを備えることを特徴とする信号処理装置。
【００７１】
〔実施態様２〕前記制御手段は、前記複数のアクセサリ装置に関する情報を前記アクセサリ装置のカテゴリ毎に前記表示装置に表示することを特徴とする実施態様１に記載の信号処理装置。
【００７２】
〔実施態様３〕前記制御手段は、前記アクセサリ装置の資源に関する情報を前記カテゴリ毎に合計して前記表示装置に表示することを特徴とする実施態様２に記載の信号処理装置。
【００７３】
〔実施態様４〕前記アクセサリ装置はバッテリを含み、前記資源に関する情報は前記バッテリの残量情報であり、前記制御手段は複数の前記バッテリの残量の合計を前記表示装置に表示することを特徴とする実施態様３に記載の信号処理装置。
【００７４】
〔実施態様５〕前記アクセサリ装置は、前記情報信号が記録される記録媒体を含み、前記資源に関する情報は前記記録媒体の記録可能時間情報であり、前記制御手段は複数の前記記録媒体の記録可能時間の合計を前記表示装置に表示することを特徴とする実施態様３に記載の信号処理装置。
【００７５】
〔実施態様６〕前記制御手段は更に、前記カテゴリ毎のアクセサリ装置の数の情報も前記表示装置に表示することを特徴とする実施態様３に記載の信号処理装置。
【００７６】
〔実施態様７〕前記属性情報は、前記アクセサリ装置の資源の容量に関する情報を含み、前記制御手段は前記アクセサリ装置の資源の残量が所定の閾値よりも多いか否かに応じて前記表示装置に表示する情報の表示形態を変更することを特徴とする実施態様１に記載の信号処理装置。
【００７７】
〔実施態様８〕前記制御手段は更に、現在使用中の前記アクセサリ装置の資源の残量が所定の閾値よりも少なくなったことに応じて、前記使用中のアクセサリ装置と同じカテゴリのアクセサリ装置の資源の残量を表示することを特徴とする実施態様７に記載の信号処理装置。
【００７８】
〔実施態様９〕前記制御手段は更に、前記装置に装着済みの前記アクセサリ装置に関する情報と、装着されていないアクセサリ装置に関する情報とを識別可能な状態で前記表示装置に表示することを特徴とする実施態様１に記載の信号処理装置。
【００７９】
〔実施態様１０〕前記複数のアクセサリ装置は、前記属性情報を保持した保持手段をそれぞれ有し、前記受信手段は前記保持手段に対して通信を行って前記属性情報を受信することを特徴とする実施態様１に記載の信号処理装置。
【００８０】
〔実施態様１１〕前記保持手段は無線ＩＤタグであり、前記受信手段は前記アクセサリ装置の無線タグと無線通信を行うことにより前記属性情報を受信することを特徴とする実施態様１０に記載の信号処理装置。
【００８１】
〔実施態様１２〕前記通信手段は通信範囲を変更可能であり、前記制御手段は異なる複数の前記通信範囲毎に前記アクセサリ装置に関する情報を前記表示装置に表示することを特徴とする実施態様１に記載の信号処理装置。
【００８２】
〔実施態様１３〕前記通信範囲の切り替えを任意に指示する指示手段を備え、前記制御手段は前記指示手段による切り替え指示に応じて前記表示装置に表示する情報を切り替えることを特徴とする実施態様１２に記載の信号処理装置。
【００８３】
〔実施態様１４〕前記制御手段は、前記通信範囲を識別するための情報も前記表示装置に表示することを特徴とする実施態様１３に記載の信号処理装置。
【００８４】
〔実施態様１５〕前記情報信号に対して異なる処理を行う複数の動作モードを有し、前記制御手段は更に、前記複数の動作モードのうち設定された動作モードに応じて前記表示装置に表示する情報を変更することを特徴とする実施態様１に記載の信号処理装置。
【００８５】
〔実施態様１６〕前記制御手段は、前記複数のアクセサリ装置のうち前記設定された動作モードにおいて使用すべきアクセサリ装置に関する情報を前記表示装置に表示することを特徴とする実施態様１５に記載の信号処理装置。
【００８６】
〔実施態様１７〕撮像手段により得られた画像信号を記憶媒体に記録する信号処理装置であって、周囲に存在するバッテリ及び前記記憶媒体を格納する記憶デバイスにそれぞれ設けられた無線ＩＤタグと非接触な状態で通信することにより前記バッテリと記憶デバイスに関する属性情報を受信する受信手段と、表示装置と、前記受信手段により受信された属性情報に基づき、前記バッテリと記憶デバイスに関する情報を前記表示装置に表示する制御手段とを備えることを特徴とする撮像装置。
【００８７】
〔実施態様１８〕前記受信手段は更に、装着可能な他のアクセサリ装置から前記属性情報を受信可能であることを特徴とする実施態様１７に記載の撮像装置。
【００８８】
〔実施態様１９〕前記他のアクセサリ装置は、リモコン、フィルタ、前記画像信号を送信するためのケーブル及びストロボを含むことを特徴とする実施態様１８に記載の撮像装置。
【００８９】
〔実施態様２０〕無線ＩＤタグを付けた周辺装置と、前記無線ＩＤタグと通信する通信手段を備え、前記周辺装置の情報を表示装置に表示する制御手段を有することを特徴とする撮像装置。
【００９０】
〔実施態様２１〕前記制御手段は、前記周辺装置の情報をカテゴリ毎の諸情報として集計して前記表示装置に表示することを特徴とする実施態様２０に撮像装置。
【００９１】
〔実施態様２２〕前記カテゴリ毎に集計する周辺装置の諸情報とは、装置に補充が必要な付帯品の残量であること特徴とする実施態様２１に記載の撮像装置。
【００９２】
〔実施態様２３〕前記装置に補充が必要な付帯品の残量とは、電池残量、記録媒体残量、消耗品残量、装置の寿命、紙残量、インク残量のいずれか１つ以上であることを特徴とする実施態様２２に記載の撮像装置。
【００９３】
〔実施態様２４〕前記装置の動作モードによって、前記周辺装置の情報の内容を選択する選択手段を有し、前記制御手段は前記選択手段によって選択された情報を前記表示装置に表示することを特徴とする実施態様２３に記載の撮像装置。
【００９４】
〔実施態様２５〕前記選択手段は、装置の動作モードに不可欠な情報の選択、または装置の動作モードにおいて推奨と判断される周辺装置の情報を選択することを特徴とする実施態様２４に記載の撮像装置。
【００９５】
〔実施態様２６〕前記装置における資源不足を判定する資源判定手段を有し、前記制御手段は、前記周辺装置の諸情報を前記表示装置に表示する場合、前記資源判定手段が資源不足と判定した時には、前記資源と同等種類の周辺装置の情報を前記表示装置に表示することを特徴とする実施態様２５に記載の撮像装置。
【００９６】
〔実施態様２７〕前記資源判定手段は、前記装置の資源が所定の値以下になる時に資源不足と判定することを特徴とする実施態様２６に記載の撮像装置。
【００９７】
〔実施態様２８〕前記装置操作者が所望する装置を入力する入力手段と、前記周辺装置の存在とを比較する比較手段と更に有し、前記資源判定手段は、前記比較手段において前記所望の装置が前記周辺装置の存在に含まれない時に資源不足と判定することを特徴とする実施態様２７に記載の撮像装置。
【００９８】
〔実施態様２９〕前記資源とは、電池、記録媒体、装置の消耗品、装置の寿命のいずれか１つ以上、または、装置に補充が必要な付帯品であること特徴とする実施態様２６〜２８の何れか１項に記載の撮像装置。
【００９９】
〔実施態様３０〕前記装置の消耗品とは紙、インクのいずれか１つであることを特徴とする実施態様２９に記載の撮像装置。
【０１００】
〔実施態様３１〕前記無線ＩＤタグと通信する通信手段は、周辺無線ＩＤタグの検索範囲を可変可能な検索範囲指定手段を備え、前記制御手段は周辺無線ＩＤタグの位置を取得して表示することを特徴とする実施態様２０〜３０の何れか１項に記載の撮像装置。
【０１０１】
〔実施態様３２〕装着可能な複数のアクセサリ装置を用いて情報信号を処理する信号処理装置における処理手順をコンピュータに実行させるためのプログラムであって、周囲に存在する前記複数のアクセサリ装置と非接触な状態で通信することにより前記アクセサリ装置に関する属性情報を受信する受信処理と、前記受信処理により受信した属性情報に基づき、前記アクセサリ装置に関する情報を表示装置に表示する制御処理とをコンピュータに実行させることを特徴とするコンピュータプログラム。
【０１０２】
〔実施態様３３〕実施態様３２に記載のコンピュータプログラムを記録したことを特徴とするコンピュータ読み取り可能な記録媒体。
【０１０３】
【発明の効果】
以上説明してきたように、本発明によれば、周囲に存在する複数のアクセサリ装置と非接触な状態で通信することにより前記複数のアクセサリ装置に関する属性情報を受信する受信手段と、前記受信手段により受信した属性情報に基づき、前記アクセサリ装置に関する情報を表示装置に表示する制御手段とを設けたので、装置の周辺にある機器、及びその機器の付帯情報を装置本体の表示装置で容易に確認することができる。
【図面の簡単な説明】
【図１】本発明の実施の形態の信号処理装置の構成例を説明するブロック図である。
【図２】本実施の形態を説明する無線タグＩＤの構成例を説明するブロック図である。
【図３】本実施の形態における無線通信データ項目例を示す図である。
【図４】本実施の形態における無線通信データ例を示す図である。
【図５】本実施の形態における無線タグＩＤの配置の一例を表した説明図である。
【図６】本実施の形態における画面表示例を示す図である。
【図７】本実施の形態における画面表示例を示す図である。
【図８】本実施の形態における画面表示例を示す図である。
【図９】本実施の形態における無線タグＩＤの配置の一例を表した説明図である。
【図１０】本実施の形態における画面表示例を示す図である。
【図１１】本実施の形態における画面表示項目例を示す図である。
【図１２】本実施の形態における画面表示項目例を示す図である。
【図１３】本実施の形態における画面表示項目例を示す図である。
【図１４】本実施の形態における画面表示例を示す図である。
【図１５】本実施の形態における画面表示例を示す図である。
【図１６】本実施の形態における連続記録の手順を説明するフローチャートである。
【符号の説明】
１０１  記録媒体
２０１  レンズ
２０２  固体センサー
２０３  Ａ／Ｄコンバータ
２０４  モータ
２０９  マイク
２１０  マイクアンプ
２１１  Ａ／Ｄコンバータ
２１２  操作キー
２１３  表示ドライバ
２１４  表示器
２１５  スピーカドライバ
２１６  スピーカ
２１７  入出力端子
２２１  電源
２２２  メモリ
２２３  記録再生制御回路
２２４  センサ
２２５  ソケット
２３０  ＣＰＵ
２３５  無線タグ送受信部
【図１】
2004215088.tif 000003
【図２】
2004215088.tif 000004
【図３】
2004215088.tif 000005
【図４】
2004215088.tif 000006
【図５】
2004215088.tif 000007
【図６】
2004215088.tif 000008
【図７】
2004215088.tif 000009
【図８】
2004215088.tif 000010
【図９】
2004215088.tif 000011
【図１０】
2004215088.tif 000012
【図１１】
2004215088.tif 000013
【図１２】
2004215088.tif 000014
【図１３】
2004215088.tif 000015
【図１４】
2004215088.tif 000016
【図１５】
2004215088.tif 000017
【図１６】
2004215088.tif 000018